(57)【要約】      （修正有）【課題】収容物の量に応じてマチ幅が自在に変更でき、無駄な空間を削減した折りたたみ式ケースを提供する。【解決手段】四角形の背面部１とその４周辺に設けられた扉片２〜５からなり、各扉片は背面部に接する側に自在位置で折り曲げることができるマチ帯６を有し、各扉片を折り曲げた位置で磁性体８、９により磁力固定できる。【選択図】図１
0003228136.tif 000002
【実用新案登録請求の範囲】
【請求項１】
四角形の背面部１とその４周辺に設けられた扉片２、３および脇扉片４、５からなる折りたたみ式ケースであって、前記扉片２、３および前記脇扉片４、５の前記背面部１の周辺に接する側には自在位置で折り曲げることができるマチ帯６を有し、前記扉片２、３の少なくとも一方の扉片のマチ帯６の外側には磁石７を有し、他方の扉片のマチ帯６の外側には少なくとも磁性体８を有し、前記脇扉片４、５に続いて前記扉片２、３を折りたたんだ際に、相互に形成される重なり位置で磁力によって固定されることを特徴とする折りたたみ式ケース
【考案の詳細な説明】
【技術分野】
【０００１】本考案は、書類や小物などを収納し、持ち運びするのに使用され、設定した最大のマチ幅の範囲内で内包物の量に応じてマチ幅を自在に設定することが出来、無駄な空間が出来ないことを特徴とする折りたたみ式ケースに関するものである。
【背景技術】
【０００２】従来４辺折りたたみ式の持ち運び収納具としては形状自在な風呂敷が使われていたが、バックインバックとして利用する場合には大きな結び目が欠点となり廃れてきている。風呂敷に代わる折りたたみ式の収納具として、いくつかの発明・考案がなされている。
【先行技術文献】
【０００３】
【特許文献１】特開平６−２２５８０８
【特許文献２】実用新案登録第３１１８１８７号
【考案の概要】
【考案が解決しようとする課題】
【０００４】特許文献１に開示された簡易バックは、１枚のシート体から打ち抜きによって容易に製造できる簡易バッグであるが、既定のバッグ厚を得るための側面板部と掛け止め部があらかじめ設けられており、内包物の容量によってバッグ厚を変えることはできない。また、特許文献２の茶道用小物収納バッグは、本体の一部に型紙を使用しないことで収納する中身が少ないときにはより薄く扁平に形成することができるという特徴を持つが、止着具が点で固定されるためバッグそのものは扁平になっても折り曲げ部のだぶつきとそれに伴う本体面積の増加は避けられない。
【課題を解決するための手段】
【０００５】本考案はこのような従来技術の課題を解決するためになされたものであり、以下の構成からなる。なお構成部の名称において、便宜上、扉片と脇扉片の使い分けを行ったが、一般的な使用において先に折りたたむ（内側に来る）方を脇扉片、後に折りたたむ（外側に来る）方を扉片と称するものである。【０００６】四角形の背面部１とその４周辺に設けられた扉片２、３および脇扉片４、５からなる折りたたみ式ケースであって、前記扉片２、３および前記脇扉片４、５の前記背面部１の周辺に接する側には自在位置で折り曲げることができるマチ帯６を有し、前記扉片２、３の少なくとも一方の扉片のマチ帯６の外側には磁石７を有し、他方の扉片のマチ帯６の外側には少なくとも磁性体８を有し、前記脇扉片４、５に続いて前記扉片２、３を折りたたんだ際に、相互に形成される重なり位置で磁力によって固定されることを特徴とする折りたたみ式ケース。
【考案の効果】
【０００７】本考案に係る折りたたみ式ケースは、扉片（脇扉片を含む）を自在位置で折り曲げることができるマチ帯を備えているので、収納物の多寡（例えば資料の厚み）に合わせてマチ幅を自在に変更でき、さらにその扉片の少なくとも一方には磁石を、他方には少なくとも磁性体を備えているので、折りたたんだ位置で磁力により扉片が固定されるため、無駄な空間を省くことができる。従来のホック式止着具に比べて固定位置が自由なので収納時のわずらわしさも軽減する。
【図面の簡単な説明】
【０００８】
【図１】本考案の折りたたみ式ケースの一例を展開して示す平面図である。
【図２】図１に示す折たたみ式ケースを組み立てた外観を示す斜視図である。
【図３】本考案の折りたたみ式ケースの別の例を展開して示す平面図である。
【図４】本考案の折りたたみ式ケースのその他の例を展開して示す平面図である。
【考案を実施するための形態】
【０００９】本考案を実施するための形態を図１に基づいて説明する。ただし、本考案は図１の形状、形態に限定されるものではない。四角形の背面部１とその４周辺に設けられた扉片２、３および脇扉片４、５は、幅ｈを有するマチ帯６を介してつながっている。これらの部材は例えば布地を縫製して製作することができる。この場合、背面部ならびに扉片、脇扉片のマチ帯を除く部分には型紙を入れておくと型崩れすることがなく好ましい。このようにして本考案のケースは全体形状を崩すことなく、マチ高さをｈの範囲で調整することができる。
【００１０】扉片２、３のサイズ（折りたたみ方向長さ）は、マチ高さ０で折りたたんだ時に背面部１からはみ出さず、かつ、使用時にマチ高さが０からｈの範囲で変化しても双方の扉片が必要十分な重なりを維持できる最小長さが必要である。
【００１１】同様に脇扉片４、５のサイズ（折りたたみ方向長さ）も、マチ高さ０で折りたたんだ時に背面部１からはみ出さないことが必要だが、四片を折りたたんだ時の嵩張り感を無くすためには、脇扉片同志が重ならない長さであることが望ましい。
【００１２】扉片２、３のマチ帯６の外側にはそれぞれ磁石７と磁性体８を有している。この例では、脇扉片４、５のマチ帯６の外側には磁性体９を有している。前述のように本体の表面部材を布地で形成する場合、型紙にこれら磁石や磁性体を固定して縫製すれば美観を損ねることもない。図示を省略したが、磁性体９の代わりに（または９に加えて）磁石を使用してもよい。このようにして、図２のごとく折りたたまれた各扉片、脇扉片は相互に重なり合う位置で磁力によって固定されることになる。小型のケースや軽量物の収容用途に限るのであれば、脇扉片の磁性体９は省略しても問題ない。
【００１３】本考案で言う磁性体には、例えば低炭素鋼板やフェライト系ステンレス鋼等磁石に付く性質を有する金属の薄板を使用することができる。薄手の亜鉛めっき鋼板（トタン）や錫めっき鋼板（ブリキ）、１０〜２００μｍ厚のステンレス箔を使用すれば腐食にも強く軽量効果もある。磁石と磁性体の位置・サイズ・個数はケースの形状・サイズを考慮して定めることができる。収容内容によってマチ高さが変化し、扉片・脇扉片の重なり位置も変わるため、磁石及び磁性体の少なくとも一方は所定の面積を有することが必要になる。例えば図１のような幅サイズの限られたテープ状磁石あるいはボタン型の磁石を用いる場合、各磁性体（図１では８、９）のマチの変化方向に対応する長さは少なくともマチ帯幅ｈの長さを有することが望ましい。こうすることで収納物の多寡に応じてマチ帯内の折り曲げ位置が変化しても相対する磁石を面状磁性体に合わせることが可能である。このような機能を達成できれば磁性体は分割して用いてもよい。
【００１４】本考案の折りたたみ式ケースの別の例を図３で説明する。この考案例では扉片２のマチ帯６の外側に磁石７、扉片３のマチ帯６の外側に磁性体８を有し、且つ脇扉４，５には磁石１０を装着した一例である。磁石はテープ状のものを使用しており、脇扉片４、５に続いて扉片３、扉片２の順に折りたためば、各片が相互に重なり合う位置で強固に磁力固定でき、マチ帯の巾ｈを大きめに設定する場合に有効である。テープ状磁石の幅と長さ、磁性体のサイズ、それらの分割については前記例と同様に決定すればよい。
【００１５】また、本考案の折りたたみ式ケースの別の例を図４で説明する。この考案例では扉片２、３に複数（図では各２個）のボタン磁石７と分割（図では２分割）した帯状磁性体８を設け、脇扉片４、５にも帯状磁性体９を折りたたみ線に対して略４５度の傾きで斜めに配している。ボタン磁石７に相対する位置に必要面積に限定した磁性体を配したので、効率的に強固な磁力を確保しつつ、全体の重量を軽減することが可能である。
【産業の利用可能性】
【００１６】本考案に係る折りたたみ式ケースは収納物をその容量・厚みに合わせてコンパクトに収納することができるので、書類等の持ち運び用ケースとして、さらにバッグインバッグとして好適である。
【符号の説明】
【００１７】１  背面部
２  扉片（上）
３  扉片（下）
４  脇扉片（左）
５  脇扉片（右）
６  マチ帯
７、１０  磁石
８、９  磁性体
ｈ  マチ帯６の巾
なお、２〜５の上下、左右は図示説明の便宜上用いたものである。
【図１】
0003228136.tif 000003
【図２】
0003228136.tif 000004
【図３】
0003228136.tif 000005
【図４】
0003228136.tif 000006